(57)【要約】【課題】  家庭用プリンターで印刷が可能であると共に容易に葉書、封書、ＤＭ等の形態に仕上げることが可能な情報通信体用用紙とそれを用いた情報通信体を提供する。【解決手段】  台紙１に疑似接着フィルムＧを全面的に被覆して情報通信体用用紙Ｓ１となし、その開封縁辺部分を除いて内方の任意の領域にインク等による印刷を施して印刷可能なインク領域Ｒを設ける。【選択図】図１
2010006047.tif 000002
【特許請求の範囲】
【請求項１】
折線を介して連接された葉片を折畳み或いは切り重ね、任意の対向葉片同士の開封縁辺部分を剥離可能に疑似接着する情報通信体用の用紙であって、全面に疑似接着フィルムが被覆された台紙の開封縁辺部分以外の任意の領域に予め印刷が可能な処理を施した用紙であり、該印刷可能な処理を施した領域の上から新たに印刷を施した後に折り畳み或いは切り重ねて、対向する開封縁辺部分を剥離可能に疑似接着することにより一体化されることを特徴とした情報通信体用用紙。
【請求項２】
印刷が可能な処理が疑似接着フィルムの表面にインク層を形成したものであることを特徴とした請求項１に記載の情報通信体用用紙。
【請求項３】
印刷可能な処理が疑似接着フィルムの表面をマット調に加工したものであることを特徴とした請求項１に記載の情報通信体用用紙。
【請求項４】
折線を介して連接された葉片を折畳み或いは切り重ね、任意の対向葉片同士の開封縁辺部分を剥離可能に疑似接着する情報通信体用の用紙であって、全面に疑似接着フィルムが被覆された台紙の開封縁辺部分以外の任意の領域に予め印刷が可能な処理を施した用紙であり、該印刷可能な処理を施した領域の上から新たに印刷を施した後に折り畳み或いは切り重ねて、対向する開封縁辺部分を剥離可能に疑似接着したことを特徴とした情報通信体。
【請求項５】
折の形態が蛇腹折であることを特徴とした請求項４に記載の情報通信体。
【請求項６】
折の形態が巻き折であることを特徴とした請求項４に記載の情報通信体。
【請求項７】
折の形態が蛇腹折と巻き折の混合であることを特徴とした請求項４に記載の情報通信体。
【請求項８】
折の形態が観音開き折であることを特徴とした請求項４に記載の情報通信体。
【発明の詳細な説明】
【技術分野】
【０００１】  本発明は用紙を折畳み周囲の開口部を封緘することによりＤＭを始めとして葉書、往復葉書、封書等の情報通信体が得られる情報通信体用用紙、及びこれより作られる情報通信体に関するものである。
【背景技術】
【０００２】  近年、パソコンの普及に伴い各家庭で年賀状等を印刷することがごく当たり前のことになっている。当然葉書のみならず封書に関しても同様で、ワープロソフトで打ち出した文面を郵送することは通常に行われている。そんな中でプリンターから打ち出した用紙を手早く折畳むことにより葉書や封書に仕上げて投函する技術が考えられている。【０００３】  例えば特開２００２−２７４５４５号公報に記載される封書用紙は、家庭や一般事務所で汎用されているインクジェットプリンターやレーザープリンターで、通紙、紙送りに問題なく印刷、印字できる封書用フォームを提供するものである。また、当該封書用紙は印字、印刷、筆記した封書用紙を、特別な機械を使用することなく、手軽に封止することのできる封書用紙を提供するものである。また、封止された封書の受領者が容易に開封可能な封書用紙を提供するものである。【０００４】  前記引例では、上記効果を得るために、第１基材と第２基材が全面に塗布された粘着剤層を介して積層された封書用紙（８）であって、当該封書用紙の粘着紙表面（９）の少なくとも一部分には宛名表示部を設け、また、当該封書用紙の剥離紙表面（１０）の少なくとも一部分には情報表示部を設け、さらに、前記剥離紙の一辺側端部分に、当該辺に沿って延びる抜き加工線（１２）を施したものであって、前記抜き加工線側を除いて封書用紙（８）が折畳まれ、前記抜き加工線に囲まれた前記剥離紙の一部分（１３）を取り除き、これにより露出する前記粘着剤層の一部分が、封書用紙（８）の折畳みにより対面した前記粘着紙表面と粘着することにより封止される封書用紙としている。
【特許文献１】特開２００２−２７４５４５号  公報
【発明の開示】
【発明が解決しようとする課題】
【０００５】  前記引例では封書用紙が粘着紙と剥離紙の異なる部材の貼り合わせにより構成されている。当然両者間には粘着剤層と剥離処理層が介在することになり、そのような余分な加工を必要とすることにより高価な封書用紙となってしまう。さらに封止するための粘着剤を露出させるため、抜き加工線を別工程で施さなければならず、そのためコストがさらにアップする。また例え粘着剤層で全面的に貼り合わせてあっても、本来容易に剥離が可能な剥離紙が対向して貼り合わされているため、誤って何らかの外力により不用意に剥離してしまう事故も起こりかねない。【０００６】  本発明は、このような従来の構成が有していた問題を解決しようとするものであり、プリンターに容易に通すことができ、安価で確実に封止が可能であると共に受領人が容易に開封することが可能な情報通信体用用紙とそれを用いた情報通信体を提供するものである。【０００７】  上記目的を達成するために本件発明の情報通信体用用紙は、折線を介して連接された葉片を折畳み或いは切り重ね、任意の対向葉片同士の開封縁辺部分を剥離可能に疑似接着する情報通信体用の用紙であって、全面に疑似接着フィルムが被覆された台紙の開封縁辺部分以外の任意の領域に予め印刷が可能な処理を施した用紙であり、該印刷可能な処理を施した領域の上から新たに印刷を施した後に折り畳み或いは切り重ねて、対向する開封縁辺部分を剥離可能に疑似接着することにより一体化されることを特徴としている。【０００８】  なお印刷可能な処理としては、例えばオフセット印刷、グラビヤ印刷、ＵＶ印刷等の公知の印刷手段により、艶消しのマット調インク等の公知のインク（通常インクやＵＶインク等）を必要部分全体に印刷してインク領域を形成する。そうすることにより、前記インク領域において、上から印刷をさらに施しても最上層のインクが十分に定着するように表面を改良することができる。或いはサンドブラスト等により疑似接着フィルムの必要領域をマット化しても構わない。【０００９】  また、上記目的を達成するために本件発明の情報通信体は、折線を介して連接された葉片を折畳み或いは切り重ね、任意の対向葉片同士の開封縁辺部分を剥離可能に疑似接着する情報通信体用の用紙であって、全面に疑似接着フィルムが被覆された台紙の開封縁辺部分以外の任意の領域に予め印刷が可能な処理を施した用紙であり、該印刷可能な処理を施した領域の上から新たに印刷を施した後に折り畳み或いは切り重ねて、対向する開封縁辺部分を剥離可能に疑似接着したことを特徴としている。【００１０】  前記折畳みのバリエーションとしては、単純な２つ折の形態からそれ以上の折形態が適用可能である。２つ折以上の形態として、例えば三つ折の場合、蛇腹状に断面Ｚ字状に折畳む形態と巻き込んで断面Ｃ字状に折畳む形態がある。更に折数が増えるとさまざまな折形態が考えられるが、何れの場合にも前記蛇腹状形態、巻き込み形態の組み合わせになる。またそれ以外の特殊形態としては観音開き折、ダブル観音開き折及びその変形がある。【００１１】  上記課題解決手段による作用は次の通りである。折線を介して連接された複数の葉片からなる台紙に疑似接着フィルムを全面的に被覆する。疑似接着フィルムはフィル���同士を対向させて加圧或いは加圧・加熱処理を施すことにより剥離可能に疑似接着するものである。従って、例えば疑似接着フィルムを被覆した台紙を、疑似接着フィルム同士が対向するように折畳み前記処理を施せば、全体が剥離可能に一体化されることになる。【００１２】  本件発明では周囲の開口縁辺部分を除いて内面側を全面的に、例えば艶消しのマット調インクを使用して印刷してインク領域を形成する。表面に前記インクの層を施された疑似接着シートは当該部分において接着力を失い、たとえ対向させて前記処理を施しても接着することがなくなる。しかし印刷の施されていない周囲の開口縁辺部分は疑似接着力が失われないため剥離可能に封緘され、意図的に剥離開封しなければ元通りの平面に展開されて戻ることはない。【００１３】  ところで本発明の情報通信体用用紙は既述の通りインク領域が印刷可能である。ユーザーは例えば写真や文字、罫線やイラスト等で構成されたＤＭ等を自由に創作して用紙表面に様々なＰＲ等を印刷すればよい。プリンターを通すにあたり前期情報通信体用用紙はほぼ平面状態（厳密にいうとインクの厚みが段差になっているが無視しても構わないレベルである）なので全く支障がない。【００１４】  そして印刷を終えた後に、例えば二つに折畳み、簡易ラミネーター等に通せば簡単に開口縁辺部分を疑似接着して封緘することができ、出来上がった情報通信体は葉書や封書として投函することが可能である。そして該葉書や封書を受け取った受領人は、開口縁辺部分の疑似接着部分から容易に剥離開封することができるのである。
【発明の効果】
【００１５】  上述したように本発明の情報通信体用用紙によれば、家庭用プリンターを使用して印刷でき、さらに簡易ラミネーター等で容易に葉書や封書等の情報通信体を製造することが可能になる。
【発明を実施するための最良の形態】
【００１６】  以下、本発明の実施の形態を図面に基づいて説明する。
図１（Ａ）及び（Ｂ）は二つ折の情報通信体用用紙の平面図とＸ−Ｘ線断面図である。図２（Ａ）及び（Ｂ）は印刷可能領域に通常の印刷を施した二つ折の情報通信体用紙（葉書）の表面図と裏面図である。図３は完成した情報通信体（二つ折葉書）の斜視図である。図４（Ａ）及び（Ｂ）は三つ折（Ｚ折）の情報通信体用用紙の表面図と裏面図である。図５（Ａ）及び（Ｂ）は三つ折（Ｚ折）の情報通信体（三つ折葉書）の側面図と斜視図である。図６（Ａ）及び（Ｂ）は三つ折（巻折）の情報通信体用用紙の表面図と裏面図である。図７（Ａ）及び（Ｂ）は三つ折（巻折）の情報通信体（三つ折葉書）の側面図と斜視図である。図８（Ａ）及び（Ｂ）は往復葉書形態の情報通信体用用紙の表面図と裏面図である。図９（Ａ）及び（Ｂ）は情報通信体（往復葉書）の側面図と斜視図である。図１０（Ａ）及び（Ｂ）は四つ折（観音開き折）の情報通信体（四つ折葉書）の表面図と裏面図である。図１１（Ａ）及び（Ｂ）は四つ折（観音開き折）の情報通信体（観音開き折葉書）の側面図と斜視図である。図１２（Ａ）及び（Ｂ）は四つ折（二つ折平行二つ折）の情報通信体（四つ折封書）の表面図と裏面図である。図１３（Ａ）及び（Ｂ）は四つ折（二つ折平行二つ折）の情報通信体（四つ折封書）の側面図と斜視図である。
【実施例１】
【００１７】  図１に示す如く二つ折形態の情報通信体用用紙Ｓ１は、第一葉片１と第二葉片２が折線３を介して連接された台紙１の表面に疑似接着フィルムＧが全面的に被覆されている。そして縁辺部分の疑似接着フィルムＧの表面を除いてその内方にインク領域Ｒが形成されている。なお台紙１の材質は公知の用紙から選択すればよく、場合によっては合成紙やプラスチック等の合成樹脂でも構わない。疑似接着フィルムＧは台紙１表面にサーマルラミネート法やドライラミネート法により全面的に被覆されており、その表面には疑似接着層（図示省略）が形成されている。そしてインク領域Ｒは例えばＵＶ印刷により艶消しマット調のＵＶインクをベタ刷りすることにより形成されている。前記インク領域Ｒの疑似接着力は上層のインク層により封印されている。【００１８】  このように形成された情報通信体用用紙Ｓ１は、インク領域Ｒの厚みが無視できるほどの薄さのため、ほぼ１枚の用紙と同等の感覚である。当然プリンター等に通しても通常の用紙と何ら変わらない状態で使用することができる。【００１９】  次に前記情報通信体用用紙Ｓ１を使用した情報通信体の作製方法を説明する。
図２（Ａ）に示す如く情報通信体用用紙１は、Ａ５サイズの台紙１の表面全面に疑似接着フィルムＧが被覆されている。そしてその縁辺部分の疑似接着フィルムＧの表面を除いて内方に形成されているインク領域Ｒには、例えばプリンターにより年賀の挨拶を含む文言が印刷されている。また、図２（Ｂ）に示す如く第二葉片２裏面には郵便切手欄４、郵便番号欄５、受取人の住所氏名６等が印字されている。なお、第一葉片１裏面にプリンター等による印字、印刷が施されていても構わない。さらに前記印字、印刷は前記プリンターによる印字に先立ち予め施されていても構わない。【００２０】  この情報通信体用用紙Ｓ１は図２（Ａ）側の面を内側にして、ほぼ中央に位置する折線３で折畳まれる。そしてその状態で簡易ラミネーター（図示省略）等に通し、加圧或いは加圧・加熱処理を施すことにより、対向している縁辺部分の疑似接着フィルムＧ同士が剥離可能に一体化されて、図３に示す如く見掛けは１枚の葉書（情報通信体Ｊ）の状態に仕上がるのである。【００２１】  この葉書の受取人は、葉書裏面のコーナーに設けられたコーナーカット部分に生じる段差を開封の糸口として、葉書周囲の縁辺に形成した接着部分を剥離して開封することができる。そして平面状に剥離展開して内面の情報を視認することができるのである。【００２２】  次に前記二つ折以上の折形態のバリエーションに関して説明する。
なお以下の各実施例は、用紙の任意の葉片全面に疑似接着フィルムＧを被覆して、その縁辺部分の疑似接着フィルムＧの表面を除いた内方にインク領域Ｒが形成された情報通信体用用紙に、既にプリンターを使用して印字、印刷を完了した用紙の図面を基に情報通信体Ｊの製造方法を説明する。
【実施例２】
【００２３】  図４（Ａ）に示す如く三つ折（Ｚ折）形態の情報通信体用用紙Ｓ２は第一葉片１１、第二葉片１２及び第三葉片１３が折線１４、１５を介して連接されている。第一葉片１１表面には郵便切手欄１６、郵便番号欄１７及び受取人の住所氏名１８がプリンターにより印字されている。そして第二葉片１２と第三葉片１３表面には疑似接着フィルムＧが全面的に被覆されており、両者の周囲部分の疑似接着フィルムＧの表面を除いてその内方にインク領域Ｒが形成されている。前記インク領域Ｒには実施例１と同様にプリンターにより様々な印刷が施されている。また図４（Ｂ）に示す如く情報通信体用用紙Ｓ２裏面は第一葉片１１と第二葉片１２裏面に疑似接着フィルムＧが全面的に被覆されており、両者の周囲部分の疑似接着フィルムＧの表面を除いてその内方にインク領域Ｒが形成されている。そして前記インク領域Ｒも表面側と同様に様々な印刷が施されている。なお第三葉片１３裏面にプリンター等による印字、印刷が施されていても構わない。さらに前記印字、印刷は前記プリンターによる印字に先立ち予め施されていても構わない。【００２４】  この様に構成された情報通信体用用紙Ｓ２は、図５（Ａ）及び（Ｂ）に示す如く、折線１４、１５から断面Ｚ字状に折畳まれる。そしてその状態で簡易ラミネーター等に通し、加圧或いは加圧・加熱処理を施すことにより、対向している縁辺部分の疑似接着フィルム同士が剥離可能に一体化されて、見掛けは１枚の葉書（情報通信体Ｊ）の状態に仕上がるのである。
なお、前記情報通信体用用紙Ｓ２にコーナーカットを施したり、折畳み時に用紙縁辺に段差が生じるようにしておけば、受取人は容易に開封し平面に展開することができる。
【実施例３】
【００２５】  図６（Ａ）に示す如く三つ折（巻折）形態の情報通信体用用紙Ｓ３は第一葉片２１、第二葉片２２及び第三葉片２３が折線２４，２５を介して連接されている。第一葉片２１表面には郵便切手欄２６、郵便番号欄２７及び受取人の住所氏名２８がプリンターにより印字されている。そして第三葉片２３表面には疑似接着フィルムＧが全面的に被覆されており、右側縁片部分以外の周囲の疑似接着フィルムＧの表面を除いて内方にインク領域Ｒが形成されている。前記インク領域Ｒにはプリンターにより様々な印刷が施されている。なお、第二葉片２２表面にプリンター等による印字、印刷が施されていても構わない。さらに前記印字、印刷は前記プリンターによる印字に先立ち予め施されていても構わない。
また図６（Ｂ）に示す如く、情報通信体用用紙Ｓ３裏面は第一葉片２１、第二葉片２２及び第三葉片２３の裏面全面に疑似接着フィルムＧが被覆されており、第三葉片２３の左側縁辺部分以外の縁辺部分の疑似接着フィルムＧの表面を除いて内方にインク領域Ｒが形成されている。そして前記インク領域Ｒにも表面側と同様に様々な印刷が施されている。【００２６】  この様に構成された情報通信体用用紙Ｓ３は、図７（Ａ）及び（Ｂ）に示す如く、折線２４，２５から各葉片を巻き込む状態で折畳まれる。そしてその状態で簡易ラミネーター等に通し、加圧或いは加圧・加熱処理を施すことにより、対向している縁辺部分の疑似接着フィルムＧ同士が剥離可能に一体化されて、見掛けは１枚の葉書（情報通信体Ｊ）の状態に仕上がるのである。
なお、前記情報通信体用用紙Ｓ３にコーナーカットを施したり、折畳み時に用紙縁辺に段差が生じるようにしておけば、受取人は容易に開封し平面に展開することができる。
【実施例４】
【００２７】  図８（Ａ）に示す如く往復葉書形態の情報通信体用用紙Ｓ４は第一葉片３１、第二葉片３２及び第三葉片３３が折線３４、３５を介して連接されている。第一葉片３１は往復葉書の返信葉書でその表面には郵便切手欄３６、郵便番号欄３７及び返信先の住所氏名３８がプリンターにより印字されている。そして第二葉片３２と第三葉片３３表面には疑似接着フィルムＧが全面的に被覆されており、両者の周囲部分の疑似接着フィルムＧの表面を除いてその内方にインク領域Ｒが形成されている。前記インク領域Ｒにはプリンターにより様々な印刷が施されている。また図８（Ｂ）に示す如く、情報通信体用用紙Ｓ４裏面は第二葉片３２に郵便切手欄３６、郵便番号欄３７及び受領人の住所氏名３９等がプリンターにより印字、印刷されている。なお第一葉片３１及び第三葉片３３裏面にプリンター等による印字、印刷が施されていても構わない。さらに前記印字、印刷は前記プリンターによる印字に先立ち予め施されていても構わない。【００２８】  この様に構成された情報通信体用用紙Ｓ４は、図９（Ａ）及び（Ｂ）に示す如く、第二葉片３２と第三葉片３３が折線３５から折畳まれて、周囲の疑似接着フィルムＧ部分で剥離可能に一体化され、見掛けは１枚の往信葉書の状態に仕上がっている。そしてこの往信葉書と第一葉片３１が折線３４を介して連接されて見開き状態の往復はがきに仕上がっている。
なお、前記情報通信体用用紙Ｓ４にコーナーカットを施したり、折畳み時に用紙縁辺に段差が生じるようにしておけば、受取人は容易に開封し平面に展開することができる。
【実施例５】
【００２９】  図１０（Ａ）に示す如く観音開き折形態の情報通信体用用紙Ｓ５は第一葉片４１、第二葉片４２、第三葉片４３、第四葉片４４が折線４５、４６、４７を介して連接されている。第一葉片４１と第四葉片４４表面には疑似接着フィルムＧが全面的に被覆されており、第一葉片４１においては左側縁片、第四葉片４４においては右側縁片の疑似接着フィルムＧの表面を除いてその内方にインク領域Ｒが形成されている。そして第三葉片４３表面には郵便切手欄４８、郵便番号欄４９、受取人の住所氏名５０等がプリンターにより印字されている。なお第二葉片４２表面にプリンター等による印字、印刷が施されていても構わない。さらに前記印字、印刷は前記プリンターによる印字に先立ち予め施されていても構わない。また図１０（Ｂ）に示す如く、情報通信体用用紙Ｓ５裏面は各葉片共に疑似接着フィルムＧが全面的に被覆されており、上下縁辺部分の疑似接着フィルムＧの表面を除いてその内方にインク領域Ｒが形成されている。前記インク領域Ｒにはプリンターにより様々な印刷が施されている。【００３０】  この様に構成された情報通信体用用紙Ｓ５は図１１（Ａ）及び（Ｂ）に示す如く、第一葉片４１裏面と第二葉片４２裏面及び第三葉片４３裏面と第四葉片４４裏面がそれぞれ折線４５、４７から対向するように折畳まれて周囲の疑似接着フィルムＧ部分で剥離可能に一体化されている。そしてさらに折線４６から折畳まれて、第一葉片４１表面と第四葉片４４表面の周囲の疑似接着フィルムＧ部分で剥離可能に一体化されており、見掛けは１枚の葉書（情報通信体Ｊ）の状態に仕上がっているのである。
なお、前記情報通信体用用紙Ｓ５にコーナーカットを施したり、折畳み時に用紙縁辺に段差が生じるようにしておけば、受取人は容易に開封し平面に展開することができる。
【実施例６】
【００３１】  図１２（Ａ）に示す如く四つ折形態の情報通信体用用紙Ｓ６は第一葉片５１、第二葉片５２、第三葉片５３、第四葉片５４が折線５５、５６、５７を介して連接されている。第一葉片５１と第二葉片５２表面には疑似接着フィルムＧが全面的に被覆されており、両者の周囲部分の疑似接着フィルムＧの表面を除いてその内方にインク領域Ｒが形成されている。前記インク領域Ｒにはプリンターにより様々な印刷が施されている。そして第四葉片５４表面には郵便切手欄５８、郵便番号欄５９、受取人の住所氏名６０がプリンターにより印字されている。なお第三葉片５３表面にプリンター等による印字、印刷が施されていても構わない。さらに前記印字、印刷は前記プリンターによる印字に先立ち予め施されていても構わない。また図１２（Ｂ）に示す如く情報通信体用用紙Ｓ６裏面は各葉片共に疑似接着フィルムＧが全面的に被覆されており、各葉片の上下縁辺部分と第一葉片５１の右側縁辺及び第四葉辺５４の左側縁辺の疑似接着フィルムＧの表面を除いてその内方にインク領域Ｒが形成されている。前記インク領域Ｒにはプリンターにより様々な印刷が施されている。【００３２】  この様に構成された情報通信体用用紙Ｓ６は、図１３（Ａ）及び（Ｂ）に示す如く、最初に折線５６から折畳み第一葉片５１裏面及び第二葉片５２裏面と第四葉片５４裏面及び第三葉片５３裏面同士が各々対向して重ねあわせられ、周囲の疑似接着フィルムＧ部分で剥離可能に一体化されている。そしてさらに折線５７、５５（両者は重なり合っている）から第一葉片５１表面及び第二葉片５２表面が対向するように折畳まれて周囲の疑似接着フィルムＧ部分で剥離可能に一体化されており、見掛けは１枚の封書（情報通信体Ｊ）の状態に仕上がっているのである。
なお、前記情報通信体用用紙Ｓ６にコーナーカットを施したり、折畳み時に用紙縁辺に段差が生じるようにしておけば、受取人は容易に開封し平面に展開することができる。【００３３】  なお本発明は上記実施例に限定されるものではない。
例えば四つ折形態の場合、全て蛇腹折にしたり或いは全てを巻き折にすることもできる。またそれ以上の折形態においても蛇腹折と巻き折を組み合わせた形態や、ダブル観音折、さらにクロス折を加えたものでも構わない。
【図面の簡単な説明】
【００３４】
【図１】（Ａ）及び（Ｂ）は二つ折の情報通信体用用紙の平面図とＸ−Ｘ線断面図である。
【図２】（Ａ）及び（Ｂ）は印刷可能領域に通常の印刷を施した二つ折の情報通信体用紙（葉書）の表面図と裏面図である。
【図３】完成した情報通信体（二つ折葉書）の斜視図である。
【図４】（Ａ）及び（Ｂ）は三つ折（Ｚ折）の情報通信体用用紙の表面図と裏面図である。
【図５】（Ａ）及び（Ｂ）は三つ折（Ｚ折）の情報通信体（三つ折葉書）の側面図と斜視図である。
【図６】（Ａ）及び（Ｂ）は三つ折（巻折）の情報通信体用用紙の表面図と裏面図である。
【図７】（Ａ）及び（Ｂ）は三つ折（巻折）の情報通信体（三つ折葉書）の側面図と斜視図である。
【図８】（Ａ）及び（Ｂ）は往復葉書形態の情報通信体用用紙の表面図と裏面図である。
【図９】（Ａ）及び（Ｂ）は情報通信体（往復葉書）の側面図と斜視図である。
【図１０】図１０（Ａ）及び（Ｂ）は四つ折（観音開き折）の情報通信体（四つ折葉書）の表面図と裏面図である。
【図１１】（Ａ）及び（Ｂ）は四つ折（観音開き折）の情報通信体（観音開き折葉書）の側面図と斜視図である。
【図１２】（Ａ）及び（Ｂ）は四つ折（二つ折平行二つ折）の情報通信体（四つ折封書）の表面図と裏面図である。
【図１３】（Ａ）及び（Ｂ）は四つ折（二つ折平行二つ折）の情報通信体（四つ折封書）の側面図と斜視図である。
【符号の説明】
【００３５】Ｇ  疑似接着フィルム
Ｒ  インク領域
Ｓ１、Ｓ２、Ｓ３、Ｓ４、Ｓ５、Ｓ６、  情報通信体
１、２、１１、１２、１３、２１、２２、２３、３１、３２、３３、４１、４２、４３、４４、５１、５２、５３、５４  葉片
３、１４、１５、２４、２５、３４、３５、４５、４６、４７、５５、５６、５７  折線
４、１６、２６、３６、４８、５８  郵便切手欄
５、１７、２７、３７、４９、５９  郵便番号欄
６、１８、２８、３８、３９、５０、６０  住所氏名
【図１】
2010006047.tif 000003
【図２】
2010006047.tif 000004
【図３】
2010006047.tif 000005
【図４】
2010006047.tif 000006
【図５】
2010006047.tif 000007
【図６】
2010006047.tif 000008
【図７】
2010006047.tif 000009
【図８】
2010006047.tif 000010
【図９】
2010006047.tif 000011
【図１０】
2010006047.tif 000012
【図１１】
2010006047.tif 000013
【図１２】
2010006047.tif 000014
【図１３】
2010006047.tif 000015